(57)【特許請求の範囲】
【請求項１】
本体に設定した装填・取り出しステージとヒートシールステージとの間を移動可能な移動テーブルと、
この移動テーブルに着脱可能な状態で取り付けられ、トレイを保持するトレイ保持部を有するトレイホルダと、
上記ヒートシールステージの上方に昇降可能な状態で設けられ、下降した状態で、トレイ保持部のトレイ上に載せられたシート材に当接して該シート材をトレイの開口縁部に加熱シールする加熱部材とを備え、
上記移動テーブルに設けた操作ハンドルの操作力により昇降するリフト部材をトレイ保持部の下方に設けるとともに、
装填・取り出しステージにおいてリフト部材を上昇した状態で本体側の係止部に係止し、リフト部材を下降した状態で係止部から外れるロック部を移動テーブル側に設けたことを特徴とする加熱シール式包装機。
【請求項２】
上記トレイ保持部の外側に位置するトレイホルダの上面に、トレイの開口縁部の形状に沿って複数箇所ピン孔を開設し、各ピン孔内にピン材を昇降可能に設け、ピン材の上端部分がピン孔から突出するように付勢する付勢材をピン材毎に設けて、各ピン材が独立して昇降できるようにしたことを特徴とする請求項１に記載の加熱シール式包装機。
【請求項３】
トレイ保持部をトレイの形状に応じた開口部により構成し、この開口部の内周縁に、開口部の内側に向けて突出する凸部を形成し、トレイ保持部内にトレイを嵌合した状態で上記凸部がトレイの側面を外側から内側に押圧することによりトレイの開口縁部を内側に彎曲させ、この彎曲状態でシート材をトレイの開口縁部上に載せて加熱シールし、開口部から取り出したトレイの形状復元力によりシート材に張力を与えるようにしたことを特徴とする請求項１または２に記載の加熱シール式包装機。
【請求項４】
前記加熱部材は、トレイ保持部を覆い得る大きさの加熱板にヒータを固定して構成されていることを特徴とする請求項１から３のいずれかに記載の加熱シール式包装機。
【請求項５】
加熱板が揺動可能であることを特徴とする請求項４に記載の加熱シール式包装機。
【請求項６】
前記トレイホルダは、形状や大きさの異なるトレイに適合したものに交換可能であることを特徴とする請求項１から５のいずれかに記載の加熱シール式包装機。
【発明の詳細な説明】
【０００１】
【発明の属する技術分野】
本発明は、惣菜などを入れたトレイの上面にシート材を載せ、このシート材を加熱してトレイの上面開口を封止する加熱シール式包装機に関するものである。
【０００２】
【従来の技術】
豆腐などのように工場で大量生産する食品の場合には、トレイの上面を透明シートで封止した状態で流通過程に載り、またこの状態で陳列される。
一方、スーパーマーケットや小売店などにおいて調理した惣菜などを包装する場合や、消費者が自分の手で選んだ惣菜等を容器に入れて持ち帰る場合、少量生産であるが故に、工場と同じ様に機械を使用して包装することが困難である。このため、従来は、惣菜等の商品をトレイに入れ、このトレイ全体を透明な包装フィルムにより包むことにより包装していた。
【０００３】
【発明が解決しようとする課題】
しかしながら、トレイの全体を包装フィルムで包み込むと体裁が好ましくない。また、従来の加熱シール式包装機は大型であって広いスペースがないと設置することができない。
【０００４】
また、小型の加熱シール式包装機も開発されているが、実際にはトレイの大きさ、形状が異なるものが多種存在するので、トレイの種類ごとにアタッチメントを準備しておくことが必要であり、また、このアタッチメントが重いので交換作業が面倒であった。さらに、小型の加熱シール式包装機を使用してトレイに載せたシート材を加熱シールすると、シールした後のシート材が弛緩した状態になり、見栄えが良好とはいえない。
【０００５】
本発明は、上記した事情に鑑み開発されたもので、その目的は、大きさや形状が異なるトレイの場合にも簡単に対処することができ、シート材を奇麗にシールできる加熱シール式包装機を提供しようとするものである。
【０００６】
【課題を解決するための手段】
本発明は上記目的を達成するために提案されたもので、請求項１に記載のものは、本体に設定した装填・取り出しステージとヒートシールステージとの間を移動可能な移動テーブルと、
この移動テーブルに着脱可能な状態で取り付けられ、トレイを保持するトレイ保持部を有するトレイホルダと、
上記ヒートシールステージの上方に昇降可能な状態で設けられ、下降した状態で、トレイ保持部のトレイ上に載せられたシート材に当接して該シート材をトレイの開口縁部に加熱シールする加熱部材とを備え、
上記移動テーブルに設けた操作ハンドルの操作力により昇降するリフト部材をトレイ保持部の下方に設けるとともに、
装填・取り出しステージにおいてリフト部材を上昇した状態で本体側の係止部に係止し、リフト部材を下降した状態で係止部から外れるロック部を移動テーブル側に設けたことを特徴とする加熱シール式包装機である。
【０００７】
請求項２に記載のものは、上記トレイ保持部の外側に位置するトレイホルダの上面に、トレイの開口縁部の形状に沿って複数箇所ピン孔を開設し、各ピン孔内にピン材を昇降可能に設け、ピン材の上端部分がピン孔から突出するように付勢する付勢材をピン材毎に設けて、各ピン材が独立して昇降できるようにしたことを特徴とする請求項１に記載の加熱シール式包装機である。
【０００８】
請求項３に記載のものは、トレイ保持部をトレイの形状に応じた開口部により構成し、この開口部の内周縁に、開口部の内側に向けて突出する凸部を形成し、トレイ保持部内にトレイを嵌合した状態で上記凸部がトレイの側面を外側から内側に押圧することによりトレイの開口縁部を内側に彎曲させ、この彎曲状態でシート材をトレイの開口縁部上に載せて加熱シールし、開口部から取り出したトレイの形状復元力によりシート材に張力を与えるようにしたことを特徴とする請求項１または２に記載の加熱シール式包装機である。
【０００９】
請求項４に記載のものは、前記加熱部材は、トレイ保持部を覆い得る大きさの加熱板にヒータを固定して構成されていることを特徴とする請求項１から３のいずれかに記載の加熱シール式包装機である。
【００１０】
請求項５に記載のものは、加熱板が揺動可能であることを特徴とする請求項４に記載の加熱シール式包装機である。
【００１１】
請求項６に記載のものは、前記トレイホルダは、形状や大きさの異なるトレイに適合したものに交換可能であることを特徴とする請求項１から５のいずれかに記載の加熱シール式包装機である。
【００１２】
【発明の実施の形態】
以下、本発明の実施の形態を図面に基づいて説明する。
図１は加熱シール式包装機１の正面図、図２は移動テーブル２を手前の装填・取り出しステージＡに引き出した状態における右側面図、図３はその平面図である。
【００１３】
加熱シール式包装機１は、本体の手前側に設定した装填・取り出しステージＡとその奥に設定したヒートシールステージＢとの間を移動可能な移動テーブル２と、この移動テーブル２に着脱可能な状態で取り付けられてトレイ３を保持するトレイ保持部４を有するトレイホルダ５と、上記ヒートシールステージＢの上方に昇降可能な状態で設けられ、下降した状態で、トレイ保持部４に保持されたトレイ３上に載せられたシート材６に当接して該シート材６をトレイ３の開口縁部７に加熱シールする加熱部材９とから概略構成されている。
【００１４】
本体は、上面の領域を装填・取り出しステージＡとして設定したスライド筺体１０と、その奥にヒートシールステージＢとして設定した領域を内包し、内部上方に加熱部材９等の機構を設けたヒート筺体１１とに大別される。
スライド筺体１０は、図５に示すように、手前の面が開放した上面開放の浅い箱状体であり、左右の側壁の内側に、合成樹脂製の支持レール１２を断面略Ｚ字状の止着金具１３により止着し、奥の面にも同様の部材を取り付けてある。これらの支持レール１２を取り付けると、左右の支持レール１２の上面に移動テーブル２を支持して、支持レール１２の上面から上方に突出した左右の側面の上縁部分により左右をガイドした状態で移動テーブル２を前後方向に移動することができる。また、このスライド筺体１０の底部の前端部分には、後述するロック機構の一部を構成するロック孔１４を係止部として開設してある。
一方、ヒート筺体１１は、下端部分が除去されたフロント壁部１５と、左右の側壁部１６と、背面部１７と、天井面部１８とからなる箱状体であり、フロント壁部１５に電源スイッチや温度設定操作部等を取り付け、天井面部１８には一連に接続したシート材を巻いたシート材ロール１９を載せる前後一対ローラ２０を設けてある。なお、背面部１７には放熱孔２１を開設する。
【００１５】
移動テーブル２は、図６（ａ）に示すように、トレイホルダ５が嵌合する大きな開口部を有する長方形のテーブル枠体２２と、このテーブル枠体２２の前面側に取り付けた前面板２３とにより構成されている。そして、テーブル枠体２２の開口部の内周縁には、トレイホルダ５を支持する段部２４が形成されている。
一方、前面板２３の表側のほぼ中央に操作ハンドル２５を回転可能に設け、裏側には操作ハンドル２５の操作により、トレイ３を押し上げるトレイリフト機構と移動テーブル２をロックするロック機構を兼ねた機構を設けてある。
【００１６】
トレイリフト機構とロック機構とを兼ねた機構は、図６（ａ），（ｂ）に示すように、後端に偏心ピン２６を有する駆動軸２７を前面板２３の裏側から表側に貫通させ、表側に突出した前端に前記操作ハンドル２５を取り付け、上記偏心ピン２６には横方向に延在する第１リンク片３０の一端を接続し、この第１リンク片３０の他端に第２リンク片３１と第３リンク片３２の一端を夫々重ね合わせた状態で三枚を軸着する。そして、この軸着部分から斜め下方に延在する第２リンク片３１の他端を前面板２３の裏面に軸３３により回動可能な状態で軸着する。また、上記軸着部分から斜め上方に延在する第３リンク片３２の他端を、略凹形ブラケット３４の一方の起立壁に軸３５を介して接続し、このブラケット３４を前面板２３の裏面にガイドプーリ３６により左右を規制して上下動自在な状態で取り付け、このブラケット３４の他方の起立壁にトレイリフト材を固定し、該トレイリフト材の左右のリフト部３７をトレイ保持部４に下方から臨ませて配置する。
【００１７】
したがって、操作ハンドル２５を図６（ｂ）中に矢印で示す方向に回動すると、偏心ピン２６が第１リンク片３０を図中右側に移動させるので、これにより第２リンク片３１と第３リンク片３２との交叉角度θが増大し、第３リンク片３２の上端が上昇する。このため、ブラケット３４およびリフト部３７が上昇し、トレイ保持部４内にセットされているトレイ３の底部を押し上げることができる。一方、操作ハンドル２５を反対方向に回転すると、第１リンク片３０が図中左側に移動するので、第２リンク片３１と第３リンク片３２との交叉角度θが減少し、第３リンク片３２の上端が下降する。このため、ブラケット３４およびリフト部３７が下降し、元の位置に戻る。
【００１８】
また本実施形態における第２リンク片３１には、前面板２３との軸着部分よりも更に先方に延設することにより突起状のロック部４０を形成してある。このロック部４０は、前記したスライド筺体１０の底部に係止部として開設したロック孔１４と共にロック機構の一部を構成するものである。
【００１９】
操作ハンドル２５を回動操作してトレイ３を持ち上げようとすると、第２リンク片３１が上記ロック部４０を下降する方向に回動し、トレイ３を十分に持ち上げた状態では、ロック部４０がロック孔１４に係合する。このため、移動テーブル２を装填・取り出しステージＡに停止してトレイリフト機構によりトレイ３を押し上げると、トレイリフト機構に連動して作動するロック機構により、移動テーブル２がロックされる。
【００２０】
一方、操作ハンドル２５を反対側に回動してリフト部３７を下降すると、第２リンク片３１がロック部４０を上昇する方向に回動するので、これによりロック部４０がロック孔１４から外れてロックが解除される。
【００２１】
図７（ａ）に示すトレイホルダ５は、前記移動テーブル２の開口部内に丁度嵌合する大きさに成形したアルミニウム製の板材であり、本実施形態では２つのトレイ３を同時に装填できるように、トレイ３の形状に応じた大きさと形状の貫通開口部をトレイ保持部４として左右に２つ開設してある。トレイ保持部４の貫通開口部は、本実施形態では、開口内周縁のほぼ中央に、開口部の内側に向けて僅かに突出する凸部４１を形成してある。
【００２２】
ここでトレイ３について説明する。トレイ３は、例えば紙材をプレス成型することにより皿状、或は上面が開口した箱状に成型された部材であり、上面開口の開口縁部７が外側に向かって鍔状に整形されており、いずれの形状においても開口縁部７と底面部との間の側壁面には逆テーパー（底部側よりも開口縁部７側が外側に倒れる傾斜面）が付けられている。したがって、トレイ３を貫通開口部状のトレイ保持部４内に嵌合すると、大きさと形状が適正であれば、トレイ３の側壁面がトレイ保持部４の開口内周縁に当たって支持され、しかも開口内周縁に前記凸部４１を形成してあるので、トレイ３は側壁面が凸部４１によって少し内側に押圧され、これにより開口縁部７が内側に彎曲され、したがって上面開口の面積が少し減少する。そして、この装填状態では、トレイ３の上端開口縁部７がトレイホルダ５の上面に載る。
【００２３】
そこで、この開口縁部７が載る部分、即ち、各トレイ保持部４の開口縁を囲繞するように溝４２を形成し、この溝４２内に、ゴム等の弾性線材からなるクッション部材４３を嵌合して上面から少し上方に突出させ、この突出部分で上記トレイ３の開口縁部７を受け止めるように構成する。
【００２４】
また、このクッション部材４３の外側に、開口縁の形状に沿ってピン孔４４を複数開設し、トレイホルダ５の下面には、図７（ｂ）に示すように、各ピン孔４４を囲む状態で、有底円筒体状のピンケース４５を取り付け、各ピン孔４４内にピン材４６を昇降可能に設けるとともに、ピン材４６の上端部分がピン孔４４から突出するように付勢するコイルスプリング４７を付勢材としてピンケース４５内にピン材４６毎に巻装した状態で設け、各ピン材４６が独立して昇降できるように構成する。
【００２５】
このピン材４６は、トレイ３の開口縁部７上に載せたシート材６の位置を適正に保ち易くする位置決めピンとして作用するので、トレイ保持部４内にトレイ３を装填（セット）した状態で、トレイ３の開口縁部７の外周縁の少し外側にピン材４６の外周面が位置し、尚且つトレイ３の上にシート材６を載せた状態の高さよりも少し上方に突出するように突出長さを設定する。なお、本実施形態では２つのトレイ３を左右に装填し、両トレイ３にシート材６を別個に載せるので、間に配置したピン材４６は、左右両方のシート材６の位置決めを兼ねている。
【００２６】
次に、加熱部材９等の加熱機構について説明する。
加熱部材９は、図８に示すように、左右２つのトレイ保持部４を覆い得る大きさのアルミニウム板を２枚重ね合わせて加熱板５０を構成し、この加熱板５０上、すなわち上方のアルミニウム板５０ａの上面に円盤状のヒータ５１を載せて上方からステー５２により押圧して固定して構成する。そして、この加熱部材９を上下動可能な状態で支持するために、ヒータ５１の左右の上面からボルト５３を立設し、このボルト５３により昇降機構に接続する。なお、加熱板５０の下面は、フッ素樹脂加工してある。
【００２７】
加熱部材９を昇降可能な状態で支持する昇降機構は、図９に示すように、ヒート筺体１１内の左右に縦方向に取り付けた案内柱６０と、この案内柱６０に案内されて上下動するコ字状の昇降部材６１と、この昇降部材６１を上方に向けて付勢する付勢部材としてのコイルスプリング６２と、左右の昇降部材６１に左右起立部が固定されて昇降部材６１と一体に上下動する昇降横架部材６３と、この昇降横架部材６３のほぼ中央に立設したローラ支柱６４の上端に設けたローラ６５と、ヒート筺体１１の左右側壁部に設けた軸受により支持した状態で左右方向に架設した回動軸６６と、ヒート筺体１１の側面に突出した回動軸６６の端部に取り付けたハンドル６７と、回動軸６６のほぼ中央に設けられて上記ローラ６５に当接したカム６８とから構成されている。そして、この昇降機構の昇降横架部材６３に加熱板５０から立設ボルト５３の上端部分を下方から貫通させ、昇降横架部材６３上に突出した部分にコイルスプリング６９を巻装するとともにボルト５３の上端にナット７０を二重に螺合する。
【００２８】
したがって、加熱板５０は、常には左右のコイルスプリング６２の弾性力により上昇した状態を維持している。そして、ハンドル６７を図２中実線で示す上方から二点鎖線で示すように斜め手前に回動すると、回動軸６６を介してカム６８が回転して次第に中心から離隔した外周縁がローラ６５を押圧するので、昇降横架部材６３を下降することができ、これにより加熱板５０も下降する。加熱板５０を下降すると、加熱板５０の下面がまずピン材４６の上端に当接し、この状態で加熱板５０をさらに下降すると、ピン材４６が加熱板５０に押圧されて加熱板５０の下降に伴って下降する。したがって、ピン材４６が突出していても加熱板５０の下降に支障はない。そして、加熱板５０を十分に下降すると、ヒートシールステージＢで停止しているトレイ３上のシート材６に当接する。なお、加熱板５０は、昇降横架部材６３に対して相対的に上下動可能な状態で弾性的に取り付けられており、しかも左右２本のボルト５３で吊り下げられているので、ある程度自由に揺動可能である。したがって、トレイ３が多少傾斜していても、下降した加熱板５０の下面がトレイ３の開口縁部７の全周に亘って確実に当接し、これによりシート材６をトレイ３の開口縁部７の全周に亘って確実に加熱接着することができる。
【００２９】
次に、上記した構成からなる加熱シール式包装機１の使用手順について説明する。なお、使用開始に先だって電源スイッチをオンにするとともに、温度設定操作部を操作して、加熱板５０を適正な温度まで昇温しておく。
【００３０】
まず、移動テーブル２を手前の装填・取り出しステージＡに引き出す。この状態で、惣菜等の内容物を入れたトレイ３をトレイホルダ５のトレイ保持部４内に装填し、このトレイ３の上にシート材６を載せる。なお、シート材６を載せる時にピン材４６の上端がトレイホルダ５の上面から突出しているので、このピン材４６で囲まれた領域にシート材６を入れれば容易に所定位置に載置することができる。また、トレイ保持部４内にトレイ３を装填すると、トレイ保持部４の開口内周縁に凸部４１が形成されているので、装填したトレイ３の上面開口の面積が少し減少した状態となる。
【００３１】
次に、移動テーブル２をヒート筺体１１内に押し込んでヒートシールステージＢに移動し、この状態でハンドル６７を手前に倒す。ハンドル６７を倒すと、前記したように、加熱部材９が下降して加熱板５０の下面がシート材６に当接し、この当接状態を適宜維持すると、加熱板５０の熱がシート材６に伝達され、シート材６の下面に予め塗布してある接着剤が軟化してシート材６をトレイ３の開口縁部７に接着し、これによりトレイ３の開口部をシート材６でシール（封止）することができる。
【００３２】
なお、接着剤は一般的なヒートメルトタイプのものをシート材６の裏面に塗布しても、或はトレイ３の開口縁部７に塗布してもよい。また、接着剤を使用しなくても、シート材６またはトレイ３の開口縁部７を適宜溶融可能な素材とすれば、加熱板５０の加熱によりシート材６とトレイ３の開口縁部７とを融着することができる。
【００３３】
この様にしてシールが終了したならばハンドル６７を戻して加熱部材９を元の位置まで上昇させる。なお、加熱部材９は、本実施形態ではコイルスプリング６２により上方に付勢されているので、ハンドル６７から軽く手を放すだけで、自動的に初期状態に復帰する。また、加熱板５０が上昇すると、ピン材４６はコイルスプリング４７の付勢力により加熱板５０の上昇に伴って元の高さまで上昇する。なお、本発明におけるピン材４６は、独立して上下動するので、途中で引っ掛かって元の高さに戻らないなどのトラブルは発生しない。
【００３４】
ハンドル６７を戻したならば、移動テーブル２を手前に引いて装填・取り出しステージＡに移動する。そして、操作ハンドル２５を回動すると、前記したように、リフト部３７が上昇してトレイ３の底部に当接し、更に操作ハンドル２５を回動すると、リフト部３７がトレイ３を押し上げる。したがって、作業者はリフトされたトレイ３を容易に取り出すことができる。
【００３５】
この様にして、トレイ保持部４内に嵌合していたトレイ３を取り出すと、トレイ３の形状復元力により縮小されていた開口縁部７が元の大きさに戻ろうとするので、この復元力によりシート材６に張力が作用する。したがって、シート材６はピンと張った状態になる。
【００３６】
１回目のシール包装作業が終了して次のトレイ３をシールする場合には、空いたトレイ保持部４内に新たなトレイ３を装填するとともに、このトレイ３上にシート材６を載せる。この時、リフト部３７が上昇したままになっていればトレイ３を装填した時の高さで気付くが、すなわちトレイ３が浮き上がって不自然な状態であり、通常であれば気付く。しかしながら、不注意等によって万一気付かなかった場合であっても、リフト部３７が上昇していれば、前記したように、ロック機構の作用により移動テーブル２がロックされて移動することができない。したがって、トレイ３が浮き上がった状態で移動テーブル２を押し込んでしまい、トレイ３がフロント壁部１５に当たって破損してしまったり、内容物がこぼれて周囲を汚すなどのトラブルを未然に防止することができる。
【００３７】
また、形状や大きさが異なるトレイ３のシール包装を行う場合には、トレイホルダ５を取り外し、新たにシール包装を行うトレイ３に適合したトレイ保持部４を形成してあるトレイホルダ５に交換して行う。この場合、トレイホルダ５は、トレイ保持部４を開設した板材であり、従来に比較して軽量である。したがって、女性や不慣れな人でも簡単且つ容易に交換することができる。
【００３８】
なお、本発明におけるトレイホルダ５のトレイ保持部４は、板材に開口部を開設した構成に限定されるものではなく、トレイ３を保持することができればどのような構成でもよい。例えば、トレイホルダ５から立設した複数本の柱によりトレイ３を所定位置に保持するように構成してもよい。そして、このトレイ保持部４の開口部に形成する凸部４１は、トレイ３の側面に当接して開口縁部７を自然状態よりも内側に彎曲して上面開口の面積を小さくできればどのように構成してもよい。なお、前記実施形態では、１枚のトレイホルダ５に左右２つのトレイ保持部４を形成したが、このトレイ保持部４の数や形状はこれに限定されるものではない。
【００３９】
また、加熱部材９は、シート材６を加熱してシールできればどのような構成でもよい。例えばトレイ３の開口縁部７の形状に応じたリング状に構成してもよい。
【００４０】
さらにまた、本発明に係る加熱シール式包装機１は、食品は勿論のこと内容物の種類に拘らず使用することができる。
【００４１】
【発明の効果】
以上説明したように本発明によれば、以下の効果を奏する。
請求項１の発明によれば、本体に設定した装填・取り出しステージとヒートシールステージとの間を移動可能な移動テーブルにトレイホルダを着脱可能な状態で取り付けるので、大きさや形状が異なるトレイの包装を行う場合には、トレイホルダを交換するだけで行うことができる。そして、トレイホルダは従来よりも軽量なので、交換作業も簡単かつ容易である。したがって、女性や不慣れな人であっても何等の支障もなく使用することができる。
また、構成が簡単で小型化が容易なので、店内などの狭いスペースでも設置することができ、利用の形態を拡大することができる。
また、移動テーブルに設けた操作ハンドルの操作力により昇降するリフト部をトレイ保持部の下方に設けたので、トレイの取り出し操作が容易である。
さらに、装填・取り出しステージにおいてリフト部を上昇した状態で本体側の係止部に係止し、リフト部材を下降した状態で係止部から外れるロック部を移動テーブル側に設けたので、トレイを所定の高さにセットできない状態で移動テーブルが移動されることはない。したがって、トレイが浮き上がった状態で移動テーブルを押し込んで、トレイが当たって破損してしまったり、内容物がこぼれて周囲を汚すなどのトラブルを未然に防止することができる。
【００４２】
請求項２の発明によれば、トレイ保持部の外側に位置するトレイホルダの上面に、トレイの開口縁部の形状に沿って複数箇所ピン孔を開設し、各ピン孔内にピン材を昇降可能に設け、ピン材の上端部分がピン孔から突出するように付勢する付勢材をピン材毎に設けて、各ピン材が独立して昇降できるようにしたので、トレイ上に載せるシート材の位置決めを容易に行うことができる。
さらに、ピン材が独立して上下動できるので、昇降動作が確実であり、すべてのピン材が下降したまま止まってしまい作業に支障を生じるなどのトラブルを回避することができる。
【００４３】
請求項３の発明によれば、トレイ保持部をトレイの形状に応じた開口部により構成し、この開口部の内周縁に、開口部の内側に向けて突出する凸部を形成し、トレイ保持部内にトレイを嵌合した状態で上記凸部がトレイの側面を外側から内側に押圧することによりトレイの開口縁部を内側に彎曲させるので、この彎曲状態でシート材をトレイの開口縁部上に載せて加熱シールした後、開口部から取り出したトレイの形状復元力によりシート材に張力を与えることができる。したがって、シート材がピンと張って見栄えが向上し、奇麗である。
【００４４】
請求項４の発明によれば、加熱部材が、トレイ保持部を覆い得る大きさの加熱板にヒータを固定して構成されているので、下降すると加熱板の下面がシート材に当接し、加熱板の熱をシート材に伝達してトレイの開口部をシート材で封止することができる。
【００４５】
請求項５の発明によれば、加熱板が揺動可能なので、トレイが多少傾斜していても、下降した加熱板の下面がトレイの開口縁部の全周に亘って確実に当接させることができる。したがって、トレイの開口縁部の全周に亘って確実にシールすることができる。
【００４６】
請求項６の発明によれば、トレイホルダが、形状や大きさの異なるトレイに適合したものに交換可能なので、形状や大きさが異なるトレイの場合にも簡単に対処できる。
【図面の簡単な説明】
【図１】本発明に係る加熱シール式包装機の正面図である。
【図２】加熱シール式包装機の右側面図である。
【図３】加熱シール式包装機の平面図である。
【図４】ヒート筺体の右側面図である。
【図５】スライド筺体の分解斜視図である。
【図６】（ａ）はリフト機構の分解斜視図、（ｂ）はロック機構の正面図である。
【図７】（ａ）はトレイホルダの斜視図、（ｂ）はピン材の周囲の構成を示す断面図である。
【図８】加熱部材の分解斜視図である。
【図９】加熱部材と移動テーブルの一部欠截拡大正面図である。
【符号の説明】
１  加熱シール式包装機
２  移動テーブル
３  トレイ
４  トレイ保持部
５  トレイホルダ
６  シート材
７  開口縁部
９  加熱部材
１０  スライド筺体
１１  ヒート筺体
１２  支持レール
１３  止着金具
１４  係止部としてのロック孔
１５  フロント壁部
１６  側壁部
１７  背面図
１８  天井面部
１９  シート材ロール
２０  ローラ
２１  放熱孔
２２  テーブル枠体
２３  前面板
２４  段部
２５  操作ハンドル
２６  偏心ピン
２７  駆動軸
３０  第１リンク片
３２  第２リンク片
３３  第３リンク片
３４  ブラケット
３５  軸
３６  ガイドプーリ
３７  リフト部
４０  ロック部
４１  凸部
４２  溝
４３  クッション部材
４４  ピン孔
４５  ピンケース
４６  ピン材
５０  加熱板
５１  ヒータ
５２  ステー
５３  ボルト
６１  昇降部材
６２  コイルスプリング
６３  昇降横架部材
６４  ローラ支持柱
６５  ローラ
６６  回動軸
６７  ハンドル
６８  カム
６９  コイルスプリング
７０  ナット
【図１】
0003547315.tif 000002
【図２】
0003547315.tif 000003
【図３】
0003547315.tif 000004
【図４】
0003547315.tif 000005
【図５】
0003547315.tif 000006
【図６】
0003547315.tif 000007
【図７】
0003547315.tif 000008
【図８】
0003547315.tif 000009
【図９】
0003547315.tif 000010